(57)【要約】【課題】チューナが取り付けられていない状態では動作しないことを簡易な構成で確実に実現する。【解決手段】表示装置であって、制御部は電位検知用の入力ポートを備え、制御部の入力ポートは、チューナが表示装置に取り付けられたときにチューナが備える空き端子と接続する信号線と接続しており、信号線は所定の抵抗を介して電源電圧に接続されることによりプルアップされており、制御部は、入力ポートにより検知される電位がＨレベルである場合は表示装置を構成する各部を動作不能状態とし、入力ポートにより検知される電位がＬレベルに変化したときにチューナが取り付けられたと判定し、チューナおよび表示装置を構成する各部を動作可能状態とする。【選択図】図２
2012029198.tif 000002
【特許請求の範囲】
【請求項１】
映像を表示するための表示パネルと、表示パネルを映像信号に基づいて駆動させるパネル駆動部と、パネル駆動部に映像信号を供給する映像供給部と、所定の制御を実行する制御部とを備える表示装置であって、
上記制御部は、電位検知用の入力ポートを備え、
上記入力ポートは、チューナが当該表示装置に取り付けられたときに当該チューナが備える所定の空き端子と接続する信号線と接続しており、
上記信号線は、所定の抵抗を介して電源電圧に接続されることによりプルアップされており、
上記制御部は、上記入力ポートにより検知される電位が所定のハイレベルである場合は、上記表示パネル、パネル駆動部および映像供給部を含む当該表示装置を構成する各部を動作不能状態とし、上記入力ポートにより検知される電位が上記ハイレベルから所定のローレベルに変化したときに上記チューナが取り付けられたと判定し、上記チューナおよび当該表示装置を構成する上記各部を動作可能状態とすることを特徴とする表示装置。
【請求項２】
上記空き端子がグラウンドに接続された上記チューナが上記表示装置に取り付けられることにより、上記制御部は上記入力ポートによりローレベルを検知することを特徴とする請求項１に記載の表示装置。
【請求項３】
映像を表示するための液晶パネルと、液晶パネルを映像信号に基づいて駆動させるパネル駆動部と、パネル駆動部に映像信号を供給する映像供給部と、所定の制御を実行するマイクロコンピュータとを備える液晶表示装置であって、
上記マイクロコンピュータは、電位検知用のＡ／Ｄポートを備え、
上記Ａ／Ｄポートは、チューナが当該液晶表示装置に取り付けられたときに当該チューナが備える所定の空き端子と接続する信号線と接続しており、
上記信号線は、所定の抵抗を介して電源電圧に接続されることによりプルアップされており、
上記マイクロコンピュータは、上記Ａ／Ｄポートにより検知される電位が所定のハイレベルである場合は、上記液晶パネル、パネル駆動部および映像供給部を含む当該液晶表示装置を構成する各部への電源供給を禁止することで動作不能状態とし、上記Ａ／Ｄポートにより検知される電位が上記ハイレベルから所定のローレベルに変化したときに上記チューナが取り付けられたと判定し、上記チューナおよび当該液晶表示装置を構成する上記各部への電源供給を許容することで動作可能状態とし、
上記空き端子が上記チューナ内部でグラウンドに接続された上記チューナが、上記液晶表示装置に取り付けられ、上記空き端子と上記Ａ／Ｄポートとが上記信号線を介して繋がることにより、上記マイクロコンピュータは上記Ａ／Ｄポートを介してローレベルを検知することを特徴とする液晶表示装置。
【発明の詳細な説明】
【技術分野】
【０００１】
本発明は、表示装置および液晶表示装置に関する。
【背景技術】
【０００２】
一般に、表示パネルを備える表示装置は、外部からの映像入力を受けることで装置単体でモニタとして機能するし、放送信号の受信に必要なチューナが取り付けられることでテレビジョンとして機能する。従って、テレビジョンを製造する過程でチューナが搭載される前の製品はモニタとして機能するものであるが、チューナが搭載される前の状態の製品がモニタとして機能してしまうことで不都合が生じることがある。例えば、ＥＵ圏内の国等、所定の国や地域においてテレビジョンの組み立てや製造を行なう際に、テレビジョンとしては機能しないがモニタとしては正常に機能する製品（テレビジョンとしては未完成の製品）を当該国や地域に輸入すると、当該製品に対して所定の関税がかかってしまうことがある。このような事情に鑑み、チューナを取り付ける前の状態においては機能しない表示装置が求められていた。
【０００３】
ここで、ＩＤＥケーブルを介して外部記憶装置が接続されるＩＤＥコネクタを有し、ＩＤＥコネクタの端子のうち特定の空き端子の電圧を検査することにより、外部記憶装置がＩＤＥコネクタに接続されているか否か判断するデジタル放送受信機が知られている（特許文献１参照。）。
また、機器のレセプタクルにケーブルが接続されているか否か該機器にて判定する方法であって、レセプタクル中の端子の一つを試験端子とし試験端子に試験信号を印加し試験端子に生じる応答信号からケーブルの浮遊静電容量を反映する特徴量を抽出し、特徴量が所定基準を満たすとき、接続状態と判定する方法が知られている（特許文献２参照。）。
【先行技術文献】
【特許文献】
【０００４】
【特許文献１】特開２００４‐８８５１１号公報
【特許文献２】特開２００８‐２０５７１２号公報
【発明の概要】
【発明が解決しようとする課題】
【０００５】
従来、チューナを取り付ける前の表示装置がモニタとして機能しないようにするために、当該表示装置に電源コードを取り付けない状態（表示装置への電源供給が不能な状態）で上記国や地域に輸入し、輸入後に当該国や地域においてチューナの取り付けおよび電源コードの後付けを行なうようにしていた。しかし電源コードの後付けは、テレビジョン製造における工数増、人員増を招き、また、後付け時の作業誤りによる不良（半だ付け不良など）を発生させうるものであった。また上記文献は、チューナの取り付け前において、チューナの取り付け対象となる製品を動作不能とする技術ではない。
【０００６】
本発明は上記課題を解決するためになされたものであり、チューナが取り付けられていない状態では動作しないことを、簡易な構成で確実に実現することが可能な表示装置および液晶表示装置を提供する。
【課題を解決するための手段】
【０００７】
本発明の態様の一つは、映像を表示するための表示パネルと、表示パネルを映像信号に基づいて駆動させるパネル駆動部と、パネル駆動部に映像信号を供給する映像供給部と、所定の制御を実行する制御部とを備える表示装置であって、上記制御部は、電位検知用の入力ポートを備え、上記入力ポートは、チューナが当該表示装置に取り付けられたときに当該チューナが備える所定の空き端子と接続する信号線と接続しており、上記信号線は、所定の抵抗を介して電源電圧に接続されることによりプルアップされており、上記制御部は、上記入力ポートにより検知される電位が所定のハイレベルである場合は、上記表示パネル、パネル駆動部および映像供給部を含む当該表示装置を構成する各部を動作不能状態とし、上記入力ポートにより検知される電位が上記ハイレベルから所定のローレベルに変化したときに上記チューナが取り付けられたと判定し、上記チューナおよび当該表示装置を構成する上記各部を動作可能状態とする、構成としてある。
【０００８】
当該構成によれば、制御部は入力ポートにより検知される電位がロー（Ｌ）レベルかハイ（Ｈ）レベルかにより、チューナが自機（表示装置）に対して取り付けられているか否かを判定することができる。そのため、チューナが取り付けられていない場合には自機を動作させず、チューナが取り付けられている場合に限って自機を動作させる、という制御を容易かつ確実に行なうことができる。
【０００９】
本発明による技術的思想は、装置としての発明だけでなく、方法やプログラムの発明としても把握可能である。具体的には、チューナが接続されているか否か判定し、接続されている場合に限り表示装置を動作可能状態にする処理としての方法や、当該処理をコンピュータ（マイクロコンピュータ）に実行させるプログラムなどが、発明として把握される。
【図面の簡単な説明】
【００１０】
【図１】表示装置の概略構成を示すブロック図である。
【図２】マイクロコンピュータとチューナとの接続態様を示す図である。
【図３】マイクロコンピュータによる制御処理を示すフローチャートである。
【発明を実施するための形態】
【００１１】
本発明の実施形態として、上記空き端子がグラウンドに接続された上記チューナが上記表示装置に取り付けられることにより、上記制御部は上記入力ポートによりＬレベルを検知する構成としてもよい。
また、本発明の実施形態として、映像を表示するための液晶パネルと、液晶パネルを映像信号に基づいて駆動させるパネル駆動部と、パネル駆動部に映像信号を供給する映像供給部と、所定の制御を実行するマイクロコンピュータとを備える液晶表示装置であって、上記マイクロコンピュータは、電位検知用のＡ／Ｄポートを備え、上記Ａ／Ｄポートは、チューナが当該液晶表示装置に取り付けられたときに当該チューナが備える所定の空き端子と接続する信号線と接続しており、上記信号線は、所定の抵抗を介して電源電圧に接続されることによりプルアップされており、上記マイクロコンピュータは、上記Ａ／Ｄポートにより検知される電位が所定のＨレベルである場合は、上記液晶パネル、パネル駆動部および映像供給部を含む当該液晶表示装置を構成する各部への電源供給を禁止することで動作不能状態とし、上記Ａ／Ｄポートにより検知される電位が上記Ｈレベルから所定のＬレベルに変化したときに上記チューナが取り付けられたと判定し、上記チューナおよび当該液晶表示装置を構成する上記各部への電源供給を許容することで動作可能状態とし、上記空き端子が上記チューナ内部でグラウンドに接続された上記チューナが、上記液晶表示装置に取り付けられ、上記空き端子と上記Ａ／Ｄポートとが上記信号線を介して繋がることにより、上記マイクロコンピュータは上記Ａ／Ｄポートを介してＬレベルを検知する、構成としてもよい。
【００１２】
以下、図面を参照しながら本発明の実施形態を説明する。
図１は、本実施形態にかかる表示装置１０の概略構成を示している。表示装置１０は、制御部としてのマイクロコンピュータ１１、外部入力部１２、映像処理回路１３、パネル駆動回路１４、表示パネル１５、電源回路１６などを備える。表示パネル１５は、例えば液晶パネルである。ただし、表示パネル１５としては、プラズマディスプレイパネルや、有機ＥＬパネルなど、種々のパネルを採用可能である。
【００１３】
マイクロコンピュータ１１は、表示装置１０を構成する各部、各回路とバスを介して接続しており、ＣＰＵ、ＲＡＭ、ＲＯＭを備え、ＣＰＵがＲＡＭをワークエリアとしつつＲＯＭに記憶された所定のプログラムに従った処理を実行し、表示装置１０全体を制御する。外部入力部１２は、外部から所定のケーブル等を介して映像入力を受けることができる。映像処理回路１３は、入力された映像に対して所定の映像処理（例えば、画質調整、スケーリング処理など）を実行して表示パネル１５の一画面分の映像信号（フレーム）を生成し、パネル駆動回路１４に出力する。パネル駆動回路１４は、供給されたフレームに基づいて表示パネル１５を駆動させ、フレームに基づく映像を表示パネル１５に表示させる。外部入力部１２および映像処理回路１３は、映像供給部に該当する。
【００１４】
電源回路１６は、電源コード１６ａを介して外部の商用電源から交流を取得するとともに直流に変換し、マイクロコンピュータ１１による制御の下、表示装置１０を構成する各部、各回路へ必要な電源電圧を供給することができる。表示装置１０は、図１に示すようにチューナ２０が更に組み込まれることで、放送信号の受信機能を備えた製品（テレビジョン）となる。言い換えると、図１に示した表示装置１０は、テレビジョンの製造過程における、チューナ２０を取り付ける前段階の製品である。むろん表示装置１０は、図１に示す構成以外にも、音声処理回路や、スピーカや、液晶パネルのバックライト等、映像音声出力装置として機能するために必要な公知の各種構成を備えることが可能である。
【００１５】
図２は、表示装置１０へチューナ２０が取り付けられた際の、マイクロコンピュータ１１とチューナ２０との接続態様を示す図である。チューナ２０は、放送信号の受信および検波を実行可能な機器である。チューナ２０は、その構成の一部として端子２０ａ，２０ｂを備える。端子２０ａはグラウンドＧＮＤに接地しており、一方、端子２０ｂは空き端子である。図２に示すように、端子２０ｂはチューナ２０内部で端子２０ａと接続されており、結果、端子２０ｂもグラウンドＧＮＤに接地している。むろんチューナ２０は、端子２０ａ，２０ｂ以外にも不図示の出力端子等を有している。例えば、表示装置１０に取り付けられた際に、当該不図示の出力端子が映像処理回路１３と接続し、検波により得られた映像信号が映像処理回路１３に出力されるようになっている。
【００１６】
マイクロコンピュータ１１は、複数の入出力ポートを有しており、その一つとして電位検知用のＡ／Ｄ入力ポート１１ａを有している。Ａ／Ｄ入力ポート１１ａは、信号線１７と接続しており、信号線１７の途中には抵抗Ｒ２が設けられている。信号線１７は、抵抗Ｒ２とＡ／Ｄ入力ポート１１ａとの間の箇所において、抵抗（プルアップ抵抗）Ｒ１を介して電源電圧Ｖｃｃに接続されており、プルアップされている。そのため、信号線１７のＡ／Ｄ入力ポート１１ａとは逆側の端部がどことも繋がっていないときは、Ａ／Ｄ入力ポート１１ａにおいて所定のＨレベルの電位が検知される。図２に示したように、チューナ２０が表示装置１０に取り付けられる（チューナ２０が、表示装置１０内の所定の基板上に搭載される）と、信号線１７のＡ／Ｄ入力ポート１１ａとは逆側の端部がチューナ２０の端子２０ｂに接続される。その結果、信号線１７もグラウンドＧＮＤに接地され、Ａ／Ｄ入力ポート１１ａにおいて検知される電位はＨレベルから所定のＬレベルへ変化する。つまりマイクロコンピュータ１１は、Ａ／Ｄ入力ポート１１ａにおいて検知される電位がＬレベルかＨレベルかにより、チューナ２０が表示装置１０に取り付けられたか否かを判定することができる。
【００１７】
図３は、マイクロコンピュータ１１が所定のプログラムに従って実行する制御処理をフローチャートにより示している。当該処理が開始される時点では、電源コード１６ａは外部の商用電源と接続しており電源回路１６は電源供給を受けているが、電源回路１６からはマイクロコンピュータ１１に対する駆動用電圧および図２に示した電源電圧Ｖｃｃのみが供給されており、それ以外の表示装置１０の各構成（外部入力部１２、映像処理回路１３、パネル駆動回路１４、表示パネル１５など）に対しては電源供給は禁止されている状態（マイクロコンピュータ１１以外は駆動停止されている状態）である。本実施形態では、このような状態を表示装置１０の動作不能状態と呼ぶ。
【００１８】
マイクロコンピュータ１１は、Ａ／Ｄ入力ポート１１ａを監視し、当該ポートにおいて検知される電位がＨレベルかＬレベルかを判定する（ステップＳ１００）。そして、Ｈレベルである場合には、マイクロコンピュータ１１は電源回路１６による上記各構成（外部入力部１２、映像処理回路１３、パネル駆動回路１４、表示パネル１５など）への電源供給の禁止を維持し、上記動作不能状態を維持させる（ステップＳ１１０）。一方、Ｌレベルである場合には、マイクロコンピュータ１１は電源回路１６を制御し、電源回路１６から上記各構成（外部入力部１２、映像処理回路１３、パネル駆動回路１４、表示パネル１５など）およびチューナ２０への電源供給を開始させ、表示装置１０全体およびチューナ２０について動作可能状態とする（ステップＳ１２０）。つまり、表示装置１０は、チューナ２０が取り付けられたことを条件に、製品として駆動するようになる。なお、ステップＳ１２０の後もマイクロコンピュータ１１はＡ／Ｄ入力ポート１１ａを監視し、Ｈレベルが検知されたらチューナ２０が取り外されたものと判定し、電源回路１６を制御して再び動作不能状態にさせてもよい。
【００１９】
このように本実施形態によれば、マイクロコンピュータ１１は、Ａ／Ｄ入力ポート１１ａにより検知される電位がＬレベルかＨレベルかにより、チューナ２０が自機（表示装置１０）に取り付けられているか否かを判定することができるため、チューナ２０が取り付けられていない場合は自機を動作不能とし、チューナ２０が取り付けられている場合に限って自機を動作可能とする、という制御を容易かつ確実に行なうことができる。そのため、従来のように、表示装置に電源コードを取り付けない状態で上記国や地域に輸入し、輸入後に当該国や地域においてチューナの取り付けと併せて電源コードの後付けを行なうという工程を踏む必要がなく、電源コードの後付けによる工数増、人員増、不良発生といった各種不都合も防止できる。
【符号の説明】
【００２０】
１０…表示装置、１１…マイクロコンピュータ、１１ａ…Ａ／Ｄ入力ポート、１２…外部入力部、１３…映像処理回路、１４…パネル駆動回路、１５…表示パネル、１６…電源回路、１６ａ…電源コード、１７…信号線、２０…チューナ、２０ａ，２０ｂ…端子
【図１】
2012029198.tif 000003
【図２】
2012029198.tif 000004
【図３】
2012029198.tif 000005